(57)【要約】【課題】  保形性と引き裂き易さを兼ね備えた紙容器を提供する。【解決手段】  紙容器１０は、側壁１１の上縁全周に縁巻１４が形成され、側壁１１の下部１３において接続される底板１９を備える。縁巻１４は、側壁１１の先端部を半回転カーリングして形成される。又、縁巻１４の先端部２２には、側壁１１の下部１３に向かう向きへ側壁１１を引き裂くための引裂線Ｃ１の開始点２０が設けられ、引裂線Ｃ１は、側壁１１の下部１３の下端まで連続して設けられている。【選択図】  図１
2015229510.tif 000002
【特許請求の範囲】
【請求項１】
側壁の上縁全周に縁巻が形成された紙容器であって、
前記縁巻は、前記側壁の先端部を１回転未満カーリングして形成され、且つ、前記側壁の下部に向かう向きへ前記側壁を引き裂くための引裂線の開始点が設けられる、紙容器。
【請求項２】
前記開始点は、前記縁巻の上端部に設けられており、
前記縁巻の上端部から、前記側壁における前記縁巻の開始位置に向かう向きに引裂線が設けられる、請求項１記載の紙容器。
【請求項３】
前記開始点は、前記縁巻の先端部に設けられている、請求項１記載の紙容器。
【請求項４】
前記縁巻は、前記側壁の先端部を半回転カーリングして形成される、請求項３記載の紙容器。
【請求項５】
前記引裂線は、前記側壁の少なくとも一部まで形成されており、
前記縁巻の先端部から、前記縁巻の上端部にかけての引裂線は、前記縁巻の上端部から前記下部に向かう向きへの引裂線と、側面視において重なるように形成される、請求項３に記載の紙容器。
【請求項６】
前記側壁の下部において接続される底板を備え、
前記引裂線は、前記側壁の下端まで連続して設けられている、請求項１から５のいずれかに記載の紙容器。
【請求項７】
前記引裂線は、前記引裂線の引き裂き方向に所定間隔で形成された複数の切れ込みから構成されており、
前記切れ込みの各々は、前記下部に向かう向きの基線部と、前記基線部の引き裂き始点において基線部と鈍角で接続される補助線部とを含む、請求項１から６のいずれかに記載の紙容器。
【請求項８】
前記引裂線は、前記側壁の上下方向に対して傾斜して設けられる、請求項１から７のいずれかに記載の紙容器。
【請求項９】
前記側壁の下部において接続される底板を備え、
前記引裂線は、前記側壁の上下方向に対して傾斜して設けられ、
前記引裂線の引き裂き方向に所定間隔で形成された複数の切れ込みから構成されており、
前記切れ込みの各々は、前記底板に向かう向きの基線部と、前記基線部の引き裂き始点において前記基線部と鈍角で接続される補助線部とを含み、
前記補助線部は、前記引裂線を境界線として隣接する両側のうち、前記引裂線と前記縁巻とがなす角が鋭角となる側に設けられる、請求項１に記載の紙容器。
【発明の詳細な説明】
【技術分野】
【０００１】
この発明は紙容器に関し、特に、側壁の上縁全周に縁巻が形成された紙容器に関するものである。
【背景技術】
【０００２】
従来、紙等の素材により構成される包装用容器において、ミシン目やハーフカットなどの引裂線を形成しておき、引裂線に沿って容器の一部を引き裂くことで手軽に内容物を露出することができるようなものが知られている。
【０００３】
例えば、特許文献１では、アイスクリームやチョコレート菓子等の大略円錐形状の食品（内容物）を包装する円錐型包装用容器において、引き裂きタブを設け、引き裂きタブを引っ張ることにより、ワンタッチで、容器の上半分を下半分から引き裂くことができるものが提案されている。
【０００４】
尚、特許文献１では、大まかにいえば、積層構造を有するシート部材からなるブランクが、以下のようにして、円錐型アイスクリームを内側に収納する円錐型包装用容器として形成されることが記載されている。まず、扇形のブランクから円錐型半完成容器を形成する。次いで、円錐型半完成容器の円錐平面開口部側から、半完成容器の内側に円錐型アイスクリームを収納する。そして、開口部側をなすブランクの一部を３方向から放射状に寄せ合わせて、円錐型完成容器が形成される。
【先行技術文献】
【特許文献】
【０００５】
【特許文献１】特開２００１−１７１６４３号公報
【特許文献２】特開２０１３−３５１６８号公報
【発明の概要】
【発明が解決しようとする課題】
【０００６】
ところで、例えば、紙カップなどの紙容器では、強度を確保するため、容器の開口部において縁巻（カーリング部）が形成されるものもある（例えば、特許文献２）。しかしながら、このような縁巻を有する紙容器において、引裂線を入れるようなことは従来提案されてこなかった。例えば、特許文献１では、容器の上部は、開口部側をなすブランクの一部を３方向から放射状に寄せ合わせる構成であり、縁巻が形成される場合については考慮されていない。
【０００７】
発明者は、鋭意研鑽の結果、紙容器において引裂線を入れる際、以下の課題があることを発見した。
【０００８】
まず、縁巻を形成しないで、単に側壁の上端において引裂線を設けた場合、紙容器の形状が変形しやすくなってしまう。例えば、紙容器にマフィンなどの生地を流し込み、焼き上げるような場合、縁巻を形成しない紙容器を用いると熱により変形しやすい。
【０００９】
これに対して、側壁の先端部を１回転より多くカーリングさせて縁巻を形成すると、カーリングさせた縁巻が、側壁における縁巻の開始位置よりも上方において水平方向に３重以上に重なるため、保形性は確保されるが、引裂線から側壁を引き裂きにくくなるという問題が生じる。
【００１０】
この発明は、上記のような課題を解決するためになされたもので、保形性と引き裂き易さを兼ね備えた紙容器を提供することを目的とする。
【課題を解決するための手段】
【００１１】
上記の目的を達成するために、請求項１記載の発明は、側壁の上縁全周に縁巻が形成された紙容器であって、縁巻は、側壁の先端部を１回転未満カーリングして形成され、且つ、側壁の下部に向かう向きへ側壁を引き裂くための引裂線の開始点が設けられるものである。
【００１２】
このように構成すると、側壁の上端において、全く縁巻を形成しない場合と比べて、側壁の強度も確保できる。又、縁巻では、カーリングが１回転未満であるので、側壁における縁巻の開始位置よりも上方において、水平方向に縁巻が３重以上に重ならないため、側壁の下部に向かう向きへ側壁を引き裂くために必要な力が小さくて済む。
【００１３】
請求項２記載の発明は、請求項１記載の発明の構成において、開始点は、縁巻の上端部に設けられており、縁巻の上端部から、側壁における縁巻の開始位置に向かう向きに引裂線が設けられる。
【００１４】
このように構成すると、縁巻の上端部から、縁巻の先端部にかけての分だけ強度を確保することができる。
【００１５】
請求項３記載の発明は、請求項１記載の発明の構成において、開始点は、縁巻の先端部に設けられているものである。
【００１６】
このように構成すると、縁巻の先端部に引裂線の開始点が設けられているので、縁巻の先端部から縁巻を捲り上げるようにして引き裂くことが容易となる。
【００１７】
請求項４記載の発明は、請求項３記載の発明の構成において、縁巻は、側壁の先端部を半回転カーリングして形成されるものである。
【００１８】
このように構成すると、側壁における縁巻の開始位置と、縁巻の先端部とを離間させることができる。
【００１９】
請求項５記載の発明は、請求項３記載の発明の構成において、引裂線は、側壁の少なくとも一部まで形成されており、縁巻の先端部から、縁巻の上端部にかけての引裂線は、縁巻の上端部から下部に向かう向きへの引裂線と、側面視において重なるように形成されるものである。
【００２０】
このように構成すると、縁巻の先端部から縁巻の上端部にかけての引裂線を引き裂く方向と、縁巻の上端部から下部に向かう向きへの引裂線を引き裂く方向とを揃えることができる。
【００２１】
請求項６記載の発明は、請求項１から５のいずれかに記載の発明の構成において、側壁の下部において接続される底板を備え、引裂線は、側壁の下端まで連続して設けられているものである。
【００２２】
このように構成すると、引裂線に沿って、縁巻から紙容器の底板にかけて側壁を引き裂くために必要な力が小さくて済む。
【００２３】
請求項７記載の発明は、請求項１から６のいずれかに記載の発明の構成において、引裂線は、引裂線の引き裂き方向に所定間隔で形成された複数の切れ込みから構成されており、切れ込みの各々は、下部に向かう向きの基線部と、基線部の引き裂き始点において基線部と鈍角で接続される補助線部とを含むものである。
【００２４】
このように構成すると、引き裂きの裂け目の進行が、基線部から逸脱してしまっても、裂け目が補助線に達した場合、補助線部から基線部に裂け目を案内することができる。
【００２５】
請求項８記載の発明は、請求項１から７のいずれかに記載の発明の構成において、引裂線は、側壁の上下方向に対して傾斜して設けられるものである。
【００２６】
このように構成すると、側壁に対して斜め下方向の力を加えて側壁を引き裂くことになる。すなわち、引き裂く際に、側壁を上下方向に分断する力と、側壁を水平方向に剥がす力とが側壁に加わることになる。
【００２７】
請求項９記載の発明は、請求項１記載の発明の構成において、側壁の下部において接続される底板を備え、引裂線は、側壁の上下方向に対して傾斜して設けられ、引裂線の引き裂き方向に所定間隔で形成された複数の切れ込みから構成されており、切れ込みの各々は、底板に向かう向きの基線部と、基線部の引き裂き始点において基線部と鈍角で接続される補助線部とを含み、補助線部は、引裂線を境界線として隣接する両側のうち、引裂線と縁巻とがなす角が鋭角となる側に設けられるものである。
【００２８】
このように構成すると、引き裂く際に、側壁を上下方向に分断する力と、側壁を底板から水平方向に剥がす力とが側壁に加わることになる。又、水平方向への力によって、裂け目が水平方向に逸れたとしても、基線部よりも側壁の上縁側に設けられる補助線により裂け目の方向が基線のほうに補正することができる。
【発明の効果】
【００２９】
以上説明したように、請求項１記載の発明は、縁巻によって、紙容器の保形性がある程度確保できるとともに、縁巻を起点として、側壁を、底板に向かう向きへ引き裂くために必要な力が小さくて済むので、保形性を確保しつつ引き裂き易さが得られるという効果を奏する。
【００３０】
請求項２記載の発明は、請求項１記載の発明の効果に加えて、縁巻の上端部から、縁巻の先端部にかけての分の強度を確保することができるので、保形性がより向上する。
【００３１】
請求項３記載の発明は、請求項１記載の発明の効果に加えて、縁巻の先端部に指を引っかけて容器の側壁を引き裂くような場合に、引き裂くことが容易となる。
【００３２】
請求項４記載の発明は、請求項３記載の発明の効果に加えて、側壁における縁巻の開始位置と、縁巻の先端部とを離間させることができるので、縁巻の先端部に指を掛けやすくなり、これにより側壁を引き裂くことが容易となる。
【００３３】
請求項５記載の発明は、請求項３記載の発明の効果に加えて、縁巻の先端部から縁巻の上端部にかけての引裂線を引き裂く方向と、縁巻の上端部から下部に向かう向きへの引裂線を引き裂く方向とが揃うため、縁巻を引き裂くことが容易となる。
【００３４】
請求項６記載の発明は、請求項１から５のいずれかに記載の発明の効果に加えて、側壁を、縁巻から底板にかけて引き裂くことが容易となる。
【００３５】
請求項７記載の発明は、請求項１から６のいずれかに記載の発明の効果に加えて、基線部から裂け目の進行が逸れてしまった場合でも、補助線部によって裂け目の進行を引裂線方向に戻すことができる。
【００３６】
請求項８記載の発明は、請求項１から７のいずれかに記載の発明の効果に加えて、引き裂く際に、側壁を上下方向に分断する力と、側壁を水平方向に剥がす力とが側壁に加わることで、側壁を引き裂いて内容物を露出させるのが容易になる。
【００３７】
請求項９記載の発明は、請求項１記載の発明の効果に加えて、水平方向への力によって、裂け目が水平方向に逸れたとしても、基線よりも側壁の上縁側に設けられる補助線により裂け目の方向が基線のほうに戻るように補正することができるので、より確実に引裂線に沿って側壁を引き裂くことができる。
【図面の簡単な説明】
【００３８】
【図１】この発明の第１の実施の形態による紙容器の外観形状を示した斜視図である。
【図２】図１に示した紙容器を製造するための側壁原紙及び底板原紙の平面図である。
【図３】図２に示した側壁原紙の“Ｘ１１” 部分の拡大模式図である。
【図４】図１に示した縁巻の“Ｘ１２” 部分の拡大模式図である。
【図５】図１に示した紙容器を矢印Ａ方向視したときの正面図である。
【図６】図５に示したＶＩ−ＶＩラインの拡大端面図である。
【図７】この発明の第２の実施の形態による紙容器の外観形状を示した斜視図である。
【図８】図７に示した紙容器を製造するための紙材料の平面図である。
【図９】図８に示した側壁原紙の“Ｘ２１” 部分の拡大模式図である。
【図１０】図７に示した縁巻の“Ｘ２２” 部分の拡大模式図である。
【図１１】図７に示した紙容器を矢印Ａ方向視したときの正面図である。
【図１２】この発明の第３の実施の形態による紙容器を製造するための側壁原紙の部分を示す拡大模式図であって、図８に示した側壁原紙の“Ｘ２１”部分に相当する部分を示す図である。
【図１３】図１２に示した部分を含む側壁原紙及び底板原紙より形成した紙容器の正面図であって、図１１に示す図に相当する図である。
【図１４】図１３に示したＸＩＶ−ＸＩＶラインの拡大端面図である。
【図１５】この発明の第４の実施の形態による紙容器の縁巻の拡大端面図であって、図１４に相当する図である。
【図１６】この発明の第５の実施の形態による紙容器の正面図であって、図１１に示す図に相当する図である。
【図１７】図１６に示した引裂線の“Ｘ５” 部分の拡大模式図である。
【図１８】この発明の第６の実施の形態による紙容器の斜視図である。
【発明を実施するための形態】
【００３９】
図１は、この発明の第１の実施の形態による紙容器の外観形状を示した斜視図であり、図２は、紙容器を製造するための紙材料の平面図であり、図３は、図２に示した側壁原紙の“Ｘ１１”部分の拡大模式図である。
【００４０】
まず、図１を参照して、紙容器１０は、上縁全周に縁巻１４が形成された円錐台形状の側壁１１と、側壁１１の下部１３において接続される円形の底板１９とを備える。
【００４１】
側壁１１は、後に説明する側壁原紙を貼り合わせることにより形成される貼合部１２を有しており、貼合部１２と略対向する位置には、側壁１１を引き裂くための引裂線Ｃ１が設けられている。紙容器１０の具体的な構成については後述する。
【００４２】
次に、図２及び図３を参照して、紙容器１０を製造するための紙材料１について説明する。紙材料１は、紙容器１０の側壁１１に対応する側壁原紙２及び紙容器１０の底板１９に対応する底板原紙９から構成される。
【００４３】
側壁原紙２は、目付が１７０〜５００ｇ／ｍ２の厚紙の表面に合成樹脂フィルムをラミネートした厚さ０．２〜０．５ｍｍのシート材を扇形に打抜いたものからなる。厚紙の両面には、ポリエチレンテレフタレート（ＰＥＴ）よりなる厚さ３０μｍのフィルムを押出ラミネートしている。尚、他にも、厚紙の表面にラミネートする合成樹脂フィルムとしては、紙容器の耐熱性等の要件に応じて、ポリエチレン（ＰＥ）、ポリプロピレン（ＰＰ）、ポリブチレンテレフタレート（ＰＢＴ）等のフィルムを採用することができる。又、側壁内面側となる面と側壁外面側となる面とで別々の素材のフィルムを採用してもよい。
【００４４】
側壁原紙２は対向する側縁４ａ及び４ｂを有しており、後述する紙容器１０の成形の際には、側壁原紙２を筒状に丸め、側縁４ａ及び４ｂを一体化させて紙容器１０の側壁１１を形成する。
【００４５】
又、側壁原紙２には、下縁において、底板原紙９と貼り合わせるための下端部５が設けられているとともに、上縁において、紙容器１０の側壁１１の上縁に縁巻１４を形成するための縁巻形成しろ３が設けられている。
【００４６】
又、側壁原紙２には、上縁の中央の引裂線Ｃ１の開始点２０から、上縁と直交し且つ下縁に向かう方向に、下端部５の手前まで、ミシン目等により構成される引裂線Ｃ１が設けられている。
【００４７】
又、紙容器１０の底板１９に対応する底板原紙９は、側壁原紙２と同様の構成のシート材を円形に打抜いたものからなる。
【００４８】
図１に示した紙容器１０は、例えば、以下の工程を経て、紙材料１から成形される。
【００４９】
（１）まず、ロール紙から円形に打ち抜かれた底板原紙９の周縁を絞り加工することで、側壁原紙２の下端部５と貼り合わせるためののりしろ部を形成する。
【００５０】
（２）底板原紙９の外縁に沿わせるように、加熱済みの側壁原紙２を丸めて側縁４ａ及び４ｂを貼り合わせて円錐台形状を形成する。この円錐台形状の側面が、完成時に紙容器１０の側壁１１となる。
【００５１】
（３）貼り合わせた側壁原紙２の側縁４ａ及び４ｂに外側から押圧部材を押し当てて接着シールをすることで、完成時に紙容器１０の貼合部１２となる部分を形成する。
【００５２】
（４）側壁原紙２の下端部５を加熱した後、内側に折り返し、（１）で形成した底板原紙９ののりしろ部を包むと共に、側壁原紙２の下端部５を底板原紙９ののりしろ部に接着させる。これにより、後述の図５の部分断面図に示すような紙容器１０の下部１３及び底板１９を形成する。
【００５３】
（５）最後に、側壁原紙２の縁巻形成しろ３に成型滑り加工を施して縁巻形成しろ３を外側にカーリングして、側壁１１の上縁に、縁巻１４を形成して紙容器１０の成形工程を終了する。
【００５４】
図４は、図１に示した縁巻の“Ｘ１２”部分の拡大模式図であり、図５は、図１に示した紙容器を矢印Ａ方向視したときの正面図であり、図６は、図５に示したＶＩ−ＶＩラインの拡大端面図である。
【００５５】
まず、図４を参照して、紙容器１０の構成について、より具体的に説明すると、引裂線Ｃ１は、縁巻１４の先端部２２における引裂線Ｃ１の開始点２０から、側壁１１の上縁が形成する円の中心方向に、縁巻１４の湾曲に沿って上端部２１まで延びており、この上端部２１から折り返して更に、側壁１１の下方向に向けて延びている。
【００５６】
又、図５を参照して、引裂線Ｃ１は、側壁１１において、紙容器１０の側面視上下方向に延びるように設けられており、縁巻１４の開始点２０から側壁１１の下部１３の下端まで達する。
【００５７】
よって、引裂線Ｃ１に沿って、縁巻１４の上端部２１を経て、紙容器１０の側壁１１の下部に向かう向きへ側壁１１を引き裂くことができる。
【００５８】
又、縁巻１４は、図５の部分断面図や、図６の（ａ）に示すように側壁１１の上縁（先端部）を半回転カーリングして形成される。
【００５９】
具体的には、図６の（ａ）を参照して、基準線ｏｐ，ｏｑ、ｏｒ、ｏｓは、それぞれ、側壁１１における縁巻１４の開始位置（言い換えれば、側壁１１と縁巻１４との接続部分）２４から先端部２２にかけてのカーリングの程度を円弧Ｂにより表した際の中心角を示す基準である。基準線ｏｐ，ｏｑ、ｏｒ、ｏｓは、それぞれ、円弧Ｂの中心角が０°（３６０°）、９０°、１８０°、２７０°となる基準を示している。尚、点ｐは、縁巻１４の開始位置２４に対応しており、点ｑは、縁巻１４の上端部２１に対応している。
【００６０】
（ａ）に示す縁巻１４のＶＩ−ＶＩ断面視は、略円弧状となっている。言い換えれば、縁巻１４は、基準線ｏｐからｏｒにかけて１８０°カーリング（半回転）されており、縁巻１４の開始位置２４から上端部２１を経由し先端部２２にかけてＶＩ−ＶＩ断面視が上に凸の半円となっている。
【００６１】
しかしながら、これに限られず、図６の（ｂ）〜（ｄ）に示すように、縁巻１４のカーリングの程度は、９０°より大きく３６０°未満の間で任意に行うことができる。
【００６２】
具体的には、（ｂ）に示すように半回転を超えて、１８０°から２７０°の間（基準線ｒｏ−ｏｓの間）でカーリングしてもよい。又、（ｃ）に示すように、２７０°を超えて３６０°未満の間（基準線ｓｏ−ｏｐの間）でカーリングしてもよい。（ｃ）では略３６０°カーリング（略１回転）している。尚、縁巻１４には厚みがあるため、（ｃ）では、縁巻１４の断面視は円弧となっていないが、この場合は、縁巻の先端部２２と点ｏとを結ぶ線を基準に中心角を判断すればよい。又、（ｄ）に示すように、９０°から１８０°の間（基準線ｑｏ−ｏｒの間）でカーリングしてもよい。（ｄ）では、９０°を若干超えてカーリングを行っている。
【００６３】
図１に戻って、上記のように構成すれば、側壁１１の上端部２１において、全く縁巻１４を形成しない場合と比べて、側壁１１の保形性も確保できる。又、縁巻１４では、カーリングが１回転未満であるので、側壁１１における縁巻１４の開始位置よりも上方において、水平方向に縁巻１４が３重以上に重ならないため、側壁１１の下部１３に向かう向きへ側壁１１を引き裂くために必要な力が小さくて済む。
【００６４】
このため、縁巻１４によって、紙容器１０の保形性がある程度確保できるとともに、縁巻１４を起点として、側壁１１を、底板１９に向かう向きへ引き裂くために必要な力が小さくて済むので、保形性を確保しつつ引き裂き易さが得られる。
【００６５】
又、縁巻１４の先端部２２に引裂線Ｃ１の開始点２０が設けられているので、縁巻１４の先端部２２から縁巻１４を捲り上げるようにして引き裂くことが容易となる。このため、縁巻１４の先端部２２に指を引っかけて紙容器１０の側壁１１を引き裂くような場合に、引き裂くことが容易となる。
【００６６】
又、縁巻１４は、側壁１１の上縁を半回転カーリングして形成されているので、側壁１１における縁巻１４の開始位置と、縁巻１４の先端部２２とを離間させることができる。このため、縁巻１４の先端部２２に指を掛けやすくなり、これにより側壁１１を引き裂くことが容易となる。
【００６７】
又、引裂線Ｃ１は、側壁１１の下部１３の下端まで連続して設けられているので、引裂線１１に沿って、縁巻１４から紙容器１０の底板１９にかけて側壁１１を引き裂くために必要な力が小さくて済む。このため、側壁１１を、縁巻１４から底板１９にかけて引き裂くことが容易となる。
【００６８】
又、底板１９を備えるので据え置きした状態で側壁１１を引き裂くことができる。
図７は、この発明の第２の実施の形態による紙容器の外観形状を示した斜視図であり、図８は、図７に示した紙容器を製造するための紙材料の平面図であり、図９は、図８に示した側壁原紙の“Ｘ２１”部分の拡大模式図である。
【００６９】
尚、説明に当たっては、基本的には第１の実施の形態によるものと同一であるため、その相違点を中心に説明する。
【００７０】
まず、図７を参照して、この実施の形態による紙容器１０にあっては、引裂線Ｃ２が、側壁１１の上下方向に対して傾斜して設けられる。
【００７１】
次に、図８及び図９を参照して、この実施の形態による紙容器１０を製造するための紙材料１にあっては、側壁原紙２には、上縁の中央の引裂線Ｃ２の開始点２０から、上縁と直交する直線Ｅ−Ｅ（すなわち側壁１１の上下方向）に対して傾斜して且つ下縁に向かう方向に、下端部５の手前まで、引裂線Ｃ２が設けられている。
【００７２】
図１０は、図７に示した縁巻の“Ｘ２２”部分の拡大模式図であり、図１１は、図７に示した紙容器を矢印Ａ方向視したときの正面図である。
【００７３】
まず、図１０を参照して、引裂線Ｃ２は、縁巻１４の先端部２２における引裂線Ｃ２の開始点２０から、側壁１１の中心方向よりも右寄りに傾斜した方向に、縁巻１４の湾曲に沿って上端部２１まで延びており、この上端部２１から折り返して更に、上記右寄りの傾斜を維持して側壁１１の上下方向に対して傾斜して側壁１１の下方に延びている。
【００７４】
又、図１１を参照して、引裂線Ｃ１は、紙容器１０の側面視したとき、側壁１１において逆Ｖ字型となる。具体的には、上記側面視において、引裂線Ｃ１は、開始点２０から上端部２１までは右上に延び、上端部２１から折り返して更に、側壁１１の下部１３の下端にかけて右下に延びる。
【００７５】
このように構成すると、側壁１１に対して斜め下方向の力を加えて側壁１１を引き裂くことになる。すなわち、引き裂く際に、側壁１１を上下方向に分断する力と、側壁１１を底板１９から水平方向に剥がす力とが側壁１１に加わることになる。このため、側壁１１を引き裂いて内容物を露出させるのが容易になる。
【００７６】
図１２は、この発明の第３の実施の形態による紙容器を製造するための側壁原紙の部分を示す拡大模式図であって、図８に示した側壁原紙の“Ｘ２１”部分に相当する部分を示す図であり、図１３は、図１２に示した部分を含む側壁原紙及び底板原紙より形成した紙容器の正面図であって、図１１に示す図に相当する図であり、図１４は、図１３に示したＸＩＶ−ＸＩＶラインの拡大端面図である。
【００７７】
尚、説明に当たっては、基本的には第２の実施の形態によるものと同一であるため、その相違点を中心に説明する。
【００７８】
まず、図１２を参照して、この実施の形態による紙容器を製造するための側壁原紙２（図８参照）にあっては、引裂線Ｃ３が、開始点２０から、上縁と直交する直線ＥＥに対して傾斜して且つ下縁に向かう方向に、図１４に示す縁巻１４の上端部２１に相当する部分まで延びる部分引裂線Ｃ３１と、縁巻１４の上端部２１に相当する部分において、上縁と平行な直線ＤＤに対して線対称に折り返して下縁に向かう方向に延びる部分引裂線Ｃ３２とから構成される。
【００７９】
次に、図１３及び図１４を参照して、図１２に示したような部分を含む側壁原紙２及び底板原紙９から紙容器１０を構成すると、引裂線Ｃ３は、側壁１１の少なくとも一部まで形成されており、縁巻１４の先端部２２から、縁巻１４の上端部２１にかけての引裂線Ｃ３１は、縁巻１４の上端部２１から底板１９に向かう向きへの引裂線Ｃ３２と、側面視において重なるように形成される。
【００８０】
このように構成すれば、縁巻１４の先端部２２から縁巻１４の上端部２１にかけての引裂線Ｃ３１を引き裂く方向と、縁巻１４の上端部２１から底板１９に向かう向きへの引裂線Ｃ３２を引き裂く方向とを揃えることができる。このため、引裂線Ｃ３を引き裂くことが容易となる。
【００８１】
図１５は、この発明の第４の実施の形態による紙容器の縁巻の拡大端面図であって、図１４に相当する図である。
【００８２】
尚、説明に当たっては、基本的には第１の実施の形態によるものと同一であるため、その相違点を中心に説明する。
【００８３】
まず、図１５を参照して、この実施の形態による紙容器を製造するための側壁原紙２（図２参照）にあっては、引裂線Ｃ４の開始点２０は、縁巻１４の上端部２１に設けられており、縁巻１４の上端部２１から、側壁１１における縁巻１４の開始位置２４に向かう向きに引裂線Ｃ４が設けられる。
【００８４】
このように構成すれば、縁巻１４の上端部２１から、縁巻１４の先端部２２にかけての分だけ強度を確保することができ、これにより紙容器１０の保形性がより向上する。
【００８５】
図１６は、この発明の第５の実施の形態による紙容器の正面図であって、第２の実施の形態の図１１に示す図に相当する図であり、図１７は、図１６に示した引裂線の“Ｘ５”部分の拡大模式図である。
【００８６】
尚、説明に当たっては、基本的には第２の実施の形態によるものと同一であるため、その相違点を中心に説明する。
【００８７】
まず、図１６を参照して、この実施の形態による紙容器１０にあっては、引裂線Ｃ５が、引裂線Ｃ５の引き裂き方向に所定間隔で形成された複数の切れ込みから構成される。
【００８８】
具体的には、図１７を参照して、引裂線Ｃ５に含まれる切れ込みＣ５０の各々は、底板１９に向かう向きの基線部Ｃ５１と、基線部Ｃ５１の引き裂き始点において基線部Ｃ５１と鈍角Ｇで接続される補助線部Ｃ５２とを含む。
【００８９】
又、引裂線Ｃ５は、第２の実施の形態と同様、側壁１１の上下方向に対して傾斜して設けられているが、側壁１１は、この引裂線Ｃ５を境界線として２つの領域に分けられる。すなわち、引裂線Ｃ５と縁巻１４とがなす角が鋭角Ｈとなる側と、引裂線Ｃ５と縁巻１４とがなす角が鈍角Ｉとなる側との２つである。
【００９０】
補助線部Ｃ５２は、引裂線Ｃ５を境界線として隣接する両側のうち、引裂線Ｃ５と縁巻１４とがなす角が鋭角Ｈとなる側に設けられる。
【００９１】
このように構成すれば、引き裂く際に、側壁１１を上下方向に分断する力と、側壁１１を底板１９から水平方向に剥がす力とが側壁１１に加わることになる。又、水平方向への力によって、裂け目Ｋが水平方向に逸れたとしても、基線部Ｃ５１よりも側壁１１の上縁側に設けられる補助線部Ｃ５２により裂け目の方向が基線部Ｃ５１に戻るように補正することができる。よって、より確実に引裂線Ｃ５に沿って側壁１１を引き裂くことができる。
【００９２】
図１８は、この発明の第６の実施の形態による紙容器の斜視図である。
【００９３】
尚、説明に当たっては、基本的には第１の実施の形態によるものと同一であるため、その相違点を中心に説明する。
【００９４】
図を参照して、この実施の形態による紙容器１０にあっては、まず、側壁１１によって円錐形状の胴部が形成される。このように紙容器１０は、第１の実施の形態で説明したような底板１９を有していなくても構わない。
【００９５】
又、引裂線Ｃ６は、縁巻１４の先端部２２における引裂線Ｃ６の開始点２０から側壁１１が形成する円錐の底円中心方向に、縁巻１４の湾曲に沿って上端部２１まで延びており、この上端部２１から折り返して、更に、側壁１１が形成する円錐の頂点に向けて胴部半ばまで延びている。引裂線Ｃ６は、胴部半ばからは水平方向に湾曲して更に延びている。
【００９６】
このように構成すれば、用途に応じて引き裂く高さを調整することができる。
【００９７】
尚、上記の各実施の形態では、引裂線はミシン目等である旨を説明したが、引裂線は、ハーフカットや、原紙を押圧して設けられたくぼみ等の機能的に引き裂きを補助するようなものであればよい。又、引裂線のミシン目またはハーフカットの構成は、側壁１１の素材、厚さ等に応じて適宜決定すればよい。
【００９８】
又、上記の第１及び第２の実施の形態では、板紙原紙２の上縁の中央の引裂線の開始点２０から、下端部５の手前まで引裂線を設けることについて図を用いて説明したが、引裂線は、上記開始点２０から下端部５の下端まで設けても構わない。
【００９９】
更に、引裂線は、縁巻１４においてのみ設けられる構成でもよいし、開始点２０から側壁１１の途中まで設けられる構成であってもよい。又、引裂線は、側壁１１の途中において、水平方向に屈曲または湾曲していてもよい。又、引裂線は、側壁１１において曲線により構成されていてもよい。
【０１００】
更に、上記の各実施の形態では、貼合部１２と略対向する位置に引裂線を設けていたが、これに限られず、引裂線は、側壁１１の任意の位置、例えば、貼合部１２の近傍に設けることができる。
【０１０１】
更に、上記の各実施の形態では、側壁１１が円錐台形状または円錐形であったが、これに限られず、任意の形状を採用することができる。例えば、平面視したときの側壁１１の上縁の形状が、正方形、角丸正方形、長方形、または角丸長方形となるように、側壁１１を構成しても構わない。
【０１０２】
更に、第１〜第５の実施の形態では、扇形の側壁原紙２から側壁１１を形成したため、側壁１１は、下部１３にかけてテーパーをつけた傾斜面であったがこれに限られない。対向する側壁１１が平行となっていても構わない。
【０１０３】
更に、第１の実施形態において、紙容器１０を側壁原紙２及び底板原紙１９から構成することについて説明したが、これに限られず、紙容器１０は、プレス一体型のものを用いてもよい。
【０１０４】
更に、第４の実施の形態において、引裂線Ｃ４の開始点２０は、縁巻１４の上端部２１に設ける構成について説明したが、この構成は、他の実施の形態においても適用可能である。
【０１０５】
更に、第５の実施の形態において、第２の実施の形態を基礎として、基線部及び補助線部からなる切り込みから構成される引裂線Ｃ５について説明したが、このような引裂線Ｃ５の構成は、他の実施の形態においても適用可能である。
【０１０６】
更に、第６の実施の形態では、引裂線Ｃ６が胴部半ばにて水平方向に湾曲することを説明したがこれに限られない。引裂線６は、上端部２１から、胴部が形成する円錐の頂点に向けて延びる直線であってもよい。
【符号の説明】
【０１０７】
１０…紙容器
１１…側壁
１２…貼合部
１３…下部
１４…縁巻
１９…底板
２０…開始点
２１…上端部
２２…先端部
２４…開始位置
Ｃ１、Ｃ２、Ｃ３、Ｃ４、Ｃ５、Ｃ６…引裂線
Ｃ５１…基線部
Ｃ５２…補助線部
尚、各図中同一符号は同一又は相当部分を示す。
【図１】
2015229510.tif 000003
【図２】
2015229510.tif 000004
【図３】
2015229510.tif 000005
【図４】
2015229510.tif 000006
【図５】
2015229510.tif 000007
【図６】
2015229510.tif 000008
【図７】
2015229510.tif 000009
【図８】
2015229510.tif 000010
【図９】
2015229510.tif 000011
【図１０】
2015229510.tif 000012
【図１１】
2015229510.tif 000013
【図１２】
2015229510.tif 000014
【図１３】
2015229510.tif 000015
【図１４】
2015229510.tif 000016
【図１５】
2015229510.tif 000017
【図１６】
2015229510.tif 000018
【図１７】
2015229510.tif 000019
【図１８】
2015229510.tif 000020